(57)【要約】【課題】ゴルフクラブのシャフト又は釣竿のロッドの基側に装着されて、ゴルフクラブ又は釣竿のウエイトバランスを簡単に調整することができ、グリップを交換する際に、煩雑な加工や調整を行う必要がなく、メンテナンス性に優れるウエイトバランス調整具を提供する。【解決手段】ゴルフクラブのシャフト又は釣竿のロッドを構成する長尺状の筒体１１の基側の開口端１２から筒体１１の中空部１３に内挿され、筒体１１の基側に開口して１又は複数のウエイト１４が着脱可能に収容される収容凹部１５が形成された有底筒型のウエイト収容体１６を有し、ウエイト収容体１６は、筒体１１の軸方向と直交する方向に、筒体１１の周壁１８とウエイト収容体１６を貫通する固定ピン１９により筒体１１に固定され、ウエイト収容体１６及び固定ピン１９は、筒体１１の基側に取付けられるグリップ２０で覆われる。【選択図】図３
0003228527.tif 000002
【実用新案登録請求の範囲】
【請求項１】
ゴルフクラブのシャフト又は釣竿のロッドを構成する長尺状の筒体の基側に装着されて前記ゴルフクラブ又は前記釣竿のウエイトバランスを調整するウエイトバランス調整具であって、
前記筒体の基側の開口端から該筒体の中空部に内挿され、該筒体の基側に開口して１又は複数のウエイトが着脱可能に収容される収容凹部が形成された有底筒型のウエイト収容体を有し、該ウエイト収容体は、前記筒体の軸方向と直交する方向に、該筒体の周壁と該ウエイト収容体を貫通する固定ピンにより該筒体に固定され、前記ウエイト収容体及び前記固定ピンは、前記筒体の基側に取付けられるグリップで覆われることを特徴とするウエイトバランス調整具。
【請求項２】
請求項１記載のウエイトバランス調整具において、前記ウエイト収容体は、該ウエイト収容体の軸方向と直交する方向に該ウエイト収容体を貫通し、前記固定ピンが挿通される貫通孔を有することを特徴とするウエイトバランス調整具。
【請求項３】
請求項１又は２記載のウエイトバランス調整具において、前記ウエイト収容体の外周面と前記筒体の周壁の内周面との間に、空気抜き用の隙間が形成されていることを特徴とするウエイトバランス調整具。
【請求項４】
請求項１〜３のいずれか１記載のウエイトバランス調整具において、前記収容凹部の内周面には雌螺子部が形成され、前記ウエイトの外周面には前記雌螺子部に螺合される雄螺子部が形成されていることを特徴とするウエイトバランス調整具。
【考案の詳細な説明】
【技術分野】
【０００１】
本考案は、ゴルフクラブのシャフト又は釣竿のロッドを構成する長尺状の筒体の基側に装着されて、ゴルフクラブ又は釣竿のウエイトバランスを調整することができるウエイトバランス調整具に関する。
【背景技術】
【０００２】
従来、ゴルフ及び魚釣りにおいて、ボール及び仕掛けの飛距離を伸ばすために、ゴルフクラブ及び釣竿に様々な工夫が施されている。特に、ゴルフクラブ及び釣竿の全体の重量（ウエイト）バランスはボール及び仕掛けの飛距離に大きく影響するため、これらのバランス調整が積極的に行われている。例えば、特許文献１、２には、ゴルフクラブのシャフトに装着されるグリップの後端部にウエイトを取付けることによりゴルフクラブのウエイト（バランス）調整を行うゴルフクラブ用グリップが開示されている。また、特許文献３には、釣竿本体の竿元（基側）に取付けられるウエイトで釣竿全体のウエイトバランスを調整する釣竿が開示されている。
一方、使用者は、ゴルフクラブのスイング時及び釣竿のキャスティング時に、ゴルフクラブ及び釣竿をしっかりと握ることができるように、自身の体格等に応じて、グリップの太さ、形状（表面の凹凸）、素材等を選択している。また、使用者は、グリップを交換する際に、好みに応じて、グリップ表面の色、模様、その他の装飾等のデザインを選択することができる。
【先行技術文献】
【特許文献】
【０００３】
【特許文献１】実用新案登録第３２１７９１７号公報
【特許文献２】特開２０１２−１９６２８２号公報
【特許文献３】特開平８−３８００１号公報
【考案の概要】
【考案が解決しようとする課題】
【０００４】
しかし、特許文献１、２では、グリップの基側（端部）にウエイトを取付けることにより、ゴルフクラブ全体のウエイトバランスを調整する構造となっている。従って、グリップを交換する度に、予めウエイトが取付け可能に加工された専用のグリップを使用するか、新しい（既存の）グリップを加工してウエイトを取付け可能とし、ウエイトバランスを調整する必要がある。専用のグリップを使用する場合、グリップの材質やデザイン等が限られ、使用者の好みに合わせることが難しいという課題があった。また、既存のグリップを加工する場合、ゴルフクラブが使えるようになるまでに手間と時間がかかり、メンテナンス性に欠けるという課題があった。さらに、特許文献１、２において、ウエイトが収納される有底円筒部及びエンドキャップは、いずれもグリップの後端（基側）に嵌着されたものであるため、グリップから脱落し易く、紛失のおそれがあるという課題があった。また、特許文献３では、釣竿本体の竿元の内側に、竿元方向に開口する螺子穴が螺設された支持体を固定する一方、竿元の外周面に沿ってパイプ状ウエイトを摺動自在に装着し、このパイプ状ウエイトの竿元方向に尻栓を固着して、尻栓に突設された螺子軸を支持体の螺子穴中に位置調整可能に螺入しており、部品点数が多く、構造が複雑なだけでなく、釣竿本体に支持体を固定するための加工を施すか、支持体が固定可能な専用の釣竿本体を製造する必要があり、量産性及び汎用性に欠けるという課題があった。
本考案は、かかる事情に鑑みてなされたもので、ゴルフクラブのシャフト又は釣竿のロッドを構成する長尺状の筒体の基側に装着されて、ゴルフクラブ又は釣竿のウエイトバランスを簡単に調整することができ、グリップを交換する際に、煩雑な加工や調整を行う必要がなく、メンテナンス性に優れるウエイトバランス調整具を提供することを目的とする。
【課題を解決するための手段】
【０００５】
前記目的に沿う本考案に係るウエイトバランス調整具は、ゴルフクラブのシャフト又は釣竿のロッドを構成する長尺状の筒体の基側に装着されて前記ゴルフクラブ又は前記釣竿のウエイトバランスを調整するウエイトバランス調整具であって、
前記筒体の基側の開口端から該筒体の中空部に内挿され、該筒体の基側に開口して１又は複数のウエイトが着脱可能に収容される収容凹部が形成された有底筒型のウエイト収容体を有し、該ウエイト収容体は、前記筒体の軸方向と直交する方向に、該筒体の周壁と該ウエイト収容体を貫通する固定ピンにより該筒体に固定され、前記ウエイト収容体及び前記固定ピンは、前記筒体の基側に取付けられるグリップで覆われる。
【０００６】
本考案に係るウエイトバランス調整具において、前記ウエイト収容体は、該ウエイト収容体の軸方向と直交する方向に該ウエイト収容体を貫通し、前記固定ピンが挿通される貫通孔を有することが好ましい。
【０００７】
本考案に係るウエイトバランス調整具において、前記ウエイト収容体の外周面と前記筒体の周壁の内周面との間に、空気抜き用の隙間が形成されていることが好ましい。
【０００８】
本考案に係るウエイトバランス調整具において、前記収容凹部の内周面には雌螺子部が形成され、前記ウエイトの外周面には前記雌螺子部に螺合される雄螺子部が形成されていることが好ましい。
【考案の効果】
【０００９】
本考案に係るウエイトバランス調整具によれば、ゴルフクラブ又は釣竿のウエイトバランスを調整するためのウエイトが収容されるウエイト収容体が、固定ピンによりゴルフクラブのシャフト又は釣竿のロッドを構成する長尺状の筒体の基側に固定されており、ウエイト収容体及び固定ピンが、筒体の基側に取付けられるグリップで覆われるので、ウエイト収容体の固定安定性に優れ、ウエイト収容体及びウエイトが筒体から脱落することを確実に防止できる。また、ウエイト収容体及び固定ピンをグリップで保護することができ、耐久性に優れると共に、グリップへの加工が不要で、必要に応じて、グリップのみを簡単に交換することができ、量産性及び施工性に優れる。
【００１０】
本考案に係るウエイトバランス調整具において、ウエイト収容体が、ウエイト収容体の軸方向と直交する方向にウエイト収容体を貫通し、固定ピンが挿通される貫通孔を有する場合、貫通孔の両端位置に合わせて、筒体の周壁に固定孔を形成するだけで、固定ピンを両端の固定孔と貫通孔に跨るように挿通してウエイト収容体を簡単かつ確実に筒体に固定することができ、施工性に優れる。
【００１１】
本考案に係るウエイトバランス調整具において、ウエイト収容体の外周面と筒体の周壁の内周面との間に、空気抜き用の隙間が形成されている場合、ウエイト収容体に、別途、空気抜き孔を形成する必要がなく、加工工数を低減することができ、量産性を向上させることができる。
【００１２】
本考案に係るウエイトバランス調整具において、収容凹部の内周面に雌螺子部が形成され、ウエイトの外周面に雌螺子部に螺合される雄螺子部が形成されている場合、収容凹部にウエイトを固定して、ウエイトの移動を防止することができ、ウエイトバランスの調整を確実かつ効果的に行うことができる。
【図面の簡単な説明】
【００１３】
【図１】本考案の一実施の形態に係るウエイトバランス調整具を示す斜視図である。
【図２】（Ａ）は同ウエイトバランス調整具を筒体の基側に装着した状態を示す平面図であり、（Ｂ）は（Ａ）のＡ−Ａ線矢視断面図である。
【図３】同ウエイトバランス調整具の使用状態を示す要部断面図である。
【図４】（Ａ）は同ウエイトバランス調整具の変形例を示す斜視図であり、（Ｂ）は同ウエイトバランス調整具を筒体の基側に装着した状態を示す平面図である。
【考案を実施するための形態】
【００１４】
続いて、添付した図面を参照しつつ、本考案を具体化した実施の形態につき説明し、本考案の理解に供する。
図１に示す本考案の一実施の形態に係るウエイトバランス調整具１０は、図２（Ａ）、（Ｂ）、図３に示すように、ゴルフクラブのシャフト又は釣竿のロッドを構成する長尺状の筒体１１の基側に装着されてゴルフクラブ又は釣竿のウエイトバランスを調整するものである。
ウエイトバランス調整具１０は、図２（Ａ）、（Ｂ）、図３に示すように、筒体１１の基側の開口端１２から筒体１１の中空部１３に内挿され、筒体１１の基側に開口して１又は複数（ここでは２つ）のウエイト１４が着脱可能に収容される収容凹部１５が形成された有底筒型のウエイト収容体１６を有している。ウエイト収容体１６は、筒体１１の軸方向と直交する方向に、筒体１１の周壁１８とウエイト収容体１６を貫通する固定ピン１９により筒体１１に固定される。そして、ウエイト収容体１６及び固定ピン１９は、図３に示すように、筒体１１の基側に取付けられるグリップ２０で覆われる。
【００１５】
ここで、ウエイト収容体１６は、ウエイト収容体１６の軸方向と直交する方向にウエイト収容体１６を貫通し、固定ピン１９が挿通される貫通孔２２を有している。よって、貫通孔２２の両端位置に合わせて、筒体１１の周壁１８に固定孔２３を形成するだけの簡単な加工を行うことにより、固定ピン１９を両端の固定孔２３と貫通孔２２に跨るように挿通してウエイト収容体１６を筒体１１に確実に固定することができる。
また、ウエイト収容体１６の外周面２５と筒体１１の周壁１８の内周面２６との間に、空気抜き用の隙間２７が形成されている。これにより、ウエイト収容体１６に、別途、空気抜き孔を形成しなくても、筒体１１の中空部１３がウエイト収容体１６で塞がれることはなく、空気の流通を確保することができる。なお、本実施の形態では、ウエイト収容体の外形を円柱状に形成したが、これに限定されるものではない。
【００１６】
さらに、本実施の形態では、ウエイト収容体１６の基側端部に形成した平面視して略四角形状（厳密には四角形の四隅（頂部）を円弧状に面取りした形状）の鍔部２８の一部（角部）を筒体１１の開口端１２の周縁（周壁１８の基側端面）に係止する（引っ掛ける）ことにより、ウエイト収容体１６の姿勢を安定させ、筒体１１の軸心とウエイト収容体１６の軸心を一致させた。なお、鍔部は、ウエイト収容体１６の外周面２５と筒体１１の周壁１８の内周面２６との間に、空気抜き用の隙間を確保しつつ、外周の一部が筒体１１の開口端１２の周縁に係止されていればよく、その形状は適宜、選択することができ、例えば、三角形状、六角形状又は八角形状等の多角形状に形成してもよいし、必要に応じて、多角形状の鍔部の頂部を円弧状に面取りしてもよい。また、ウエイト収容体の基側端部に形成した鍔部の外周の一部を筒体の開口端の周縁（周壁の基側端面）に係止させる代わりに、鍔部の外周の一部（各頂部の面取り部分）を筒体の周壁の内周面に係合させる構造としてもよい。
【００１７】
ウエイトバランス調整具１０は、ウエイト収容体１６の収容凹部１５に収容するウエイト１４の数及び各ウエイト１４の重さを適宜、選択し、それらを組み合わせることにより、ゴルフクラブ又は釣竿のウエイトバランスを調整することができる。従って、全てのウエイトの材質及び重さは同一である必要はなく、異なっていてもよい。ウエイト収容体及びウエイトの材質としては、アルミニウム、真鍮、銅、鉄、ステンレス等が好適に用いられるが、これらに限定されるものではなく、この他の金属又は合金を用いてもよいし、プラスチックを用いてもよい。
【００１８】
なお、収容凹部１５の内周面には雌螺子部３０を形成し、ウエイト１４の外周面には雌螺子部３０に螺合される雄螺子部３１を形成することにより、収容凹部１５にウエイト１４を固定して、ウエイト１４の移動を防止した。このとき、図２（Ａ）、（Ｂ）、図３に示すように、ウエイト１４の上面に平面視してマイナス（−）型の凹部３２を形成することにより、マイナスドライバーを用いてウエイト１４を回転させ、簡単に高さ（バランス）調整を行うことができる。なお、凹部の形状は、適宜、選択することができ、例えば平面視して、プラス（＋）型、六角型又は星型等に形成することができる。そして、凹部の形状に対応したドライバー等の工具を用いてウエイトを回転させることができる。
【００１９】
図３に示すように、ウエイト収容体１６が固定ピン１９によって筒体１１に固定され、収容凹部１５にウエイト１４が収容された状態で、筒体１１の基側にグリップ２０を取付けることにより、ウエイト収容体１６及び固定ピン１９がグリップ２０で覆われる。これにより、固定ピン１９が貫通孔２２及び固定孔２３から抜けることはなく、ウエイト収容体１６が筒体１１から脱落することを確実に防止できる。また、ウエイト収容体１６及びウエイト収容体１６の収容凹部１５に収容されるウエイト１４がグリップ２０で保護されて外部に露出しないため、ウエイトバランス調整具１０全体の耐久性にも優れる。さらに、ウエイトバランス調整具１０は、筒体１１の中空部１３の基側に内挿されており、筒体１１へのグリップ２０の着脱に影響しないため、グリップ２０への加工は不要であり、既存（市販）のグリップ２０をそのまま使用することができ、施工性及び汎用性に優れる。
【００２０】
次に、図４（Ａ）、（Ｂ）に示す変形例のウエイトバランス調整具３４について説明する。なお、ウエイトバランス調整具１０と同様の構成については、同一の符号を付して説明を省略する。
ウエイトバランス調整具３４がウエイトバランス調整具１０と異なる点は、図４（Ａ）に示すように、鍔部３５が六角形状に形成され、ウエイト収容体３６の外形が軸方向の全長にわたって六角柱状に形成されている点である。これにより、図４（Ｂ）に示すように、ウエイトバランス調整具３４を筒体１１の基側に装着する際に、鍔部３５の各頂部（六角形の頂点）を筒体１１の開口端１２の周縁（周壁１８の基側端面）に係止させ、ウエイト収容体３６の外周面３７と筒体１１の周壁１８の内周面２６との間に空気抜き用の隙間２７を形成することができる。その他の構成及び構造はウエイトバランス調整具１０と同様であり、得られる作用、効果もウエイトバランス調整具１０と同様である。なお、ウエイト収容体の外形はこれに限定されるものではなく、ウエイト収容体の外周面と筒体１１の周壁１８の内周面２６との間に、空気抜き用の隙間を形成できればよく、例えば三角柱状、四角柱状又は八角柱状等の多角柱状に形成してもよい。また、ウエイト収容体の外形は軸方向の全長にわたって同一（一様）である必要はなく、途中で形状が変化してもよいし、断面が拡大又は縮小してもよい。さらに、多角柱状のウエイト収容体の各頂部は、必要に応じて、円弧状に面取りしてもよい。
【００２１】
以上、本考案の実施の形態を説明したが、本考案は、上記した形態に限定されるものでなく、要旨を逸脱しない条件の変更等は全て本考案の適用範囲である。
例えば、上記実施の形態では、ウエイト収容体の基側端部（上端位置）に鍔部を形成したが、鍔部の高さ方向位置は適宜、選択することができる。また、ウエイト収容体の高さ方向の複数位置に鍔部を形成して、ウエイト収容体の固定安定性を向上させてもよい。なお、ウエイト収容体の外形が多角柱状に形成されている場合、鍔部を省略して、多角柱状のウエイト収容体の各頂部を筒体の周壁の内周面に当接（接触）させ、ウエイト収容体の外周面と筒体の周壁の内周面との間に空気抜き用の隙間を形成することもできる。このとき、ウエイト収容体の各頂部は、必要に応じて、円弧状に面取りしてもよい。
上記実施の形態では、ウエイトの外周面に、収容凹部の内周面に形成された雌螺子部に螺合される雄螺子部を形成したが、ウエイトの外周面には雄螺子部を形成せず、雄螺子型の蓋体を収容凹部の雌螺子部に螺着して、蓋体でウエイトを上から押さえるようにして固定することもできる。
【符号の説明】
【００２２】
１０：ウエイトバランス調整具、１１：筒体（シャフト又はロッド）、１２：開口端、１３：中空部、１４：ウエイト、１５：収容凹部、１６：ウエイト収容体、１８：周壁、１９：固定ピン、２０：グリップ、２２：貫通孔、２３：固定孔、２５：外周面、２６：内周面、２７：隙間、２８：鍔部、３０：雌螺子部、３１：雄螺子部、３２：凹部、３４：ウエイトバランス調整具、３５：鍔部、３６：ウエイト収容体、３７：外周面
【図１】
0003228527.tif 000003
【図２】
0003228527.tif 000004
【図３】
0003228527.tif 000005
【図４】
0003228527.tif 000006